(57)【要約】【課題】非伝送データだけでなく伝送データも同期をとることができるようにすることより、伝送データを欠落させることなく伝送系を切り替えることができる二重系無線送信方法及び二重系無線送信装置を提供することを目的とする。【解決手段】第１の送信部がマスター側、第２の送信部がスレーブ側である場合（逆に、第２の送信部がマスター側、第１の送信部がスレーブ側である場合も有り）、第１の送信部１から第２の送信部２に同期用出力パルス３２が入力されることにより、非伝送データを挿入する前に、第２の送信部２は同期用出力パルス３２に従って変調部出力情報３６の出力タイミングを決めると共に、第１の送信部１も同期用出力パルス３２に従って変調部出力情報３５の出力タイミングを決めているため、第２の送信部２は第１の送信部１と同期をとることができる。【選択図】図１
2005159478.tif 000002
【特許請求の範囲】
【請求項１】
伝送データをそれぞれ送信する第１、第２の送信部と、前記第１、第２の送信部のいずれか一方の出力信号を送信する出力切替処理部を含む二重系無線伝送装置において、
前記第１、第２の送信部のそれぞれが前記伝送データのヘッダを検知し、所定数の前記ヘッダを検知したとき、内部で生成する同期信号を互いに供給し、どちらの送信部が使用されているかに基づいて、現在送信されている送信部の同期信号に他の送信部のタイミングが同期するようにしたことを特徴とする二重系無線伝送方法。
【請求項２】
伝送データをそれぞれ送信する第１、第２の送信部と、前記第１、第２の送信部のいずれか一方の出力信号を送信する出力切替処理部を含む二重系無線伝送装置において、
前記第１、第２の送信部に、前記伝送データのヘッダを検知するヘッダ検知部と、該ヘッダ検知部に接続され前記ヘッダをカウントするヘッダカウント部と、該ヘッダカウント部に制御され前記ヘッダのカウント値が所定値に達したとき同期信号を互いに供給する同期化部をそれぞれ備え、
前記出力切替処理部により前記ヘッダカウント部に供給され、どちらの送信部が使用されているかを示す信号に基づいて、現在送信している送信部の供給する同期信号に他の送信部のタイミングが同期するように構成したことを特徴とする二重系無線伝送装置。
【発明の詳細な説明】
【技術分野】
【０００１】
本発明は、伝送系を二重に備えた二重系無線送信装置に係り、特に２系統の伝送系の一方を選択して送信する二重系無線送信装置に関するものである。
【背景技術】
【０００２】
従来の一例である二重系無線送信装置については、例えば特許文献１に記載されているが、この二重系無線送信装置の概略について説明する。
従来の二重系無線送信装置は、１号系送信装置と２号系送信装置に同じ信号源の信号が１号系信号、２号系信号として入力され、両送信装置で処理された後、切替器に各々出力される。そして、切替器が選択した出力がアンテナより送信される。
【０００３】
なお、１号系信号、２号系信号は共に、伝送データの間に非伝送データが周期的に挿入された信号であり、この非伝送データの伝送期間内に伝送系の切替を行うことにより、伝送データの欠落を防止している。非伝送データとは、伝送路で信号が受けてしまった劣化に対して、受信側で伝送路特性に等化させるのに使用する波形等化用基準信号と、伝送路の伝送品質測定に使用するＢＥＲ（Ｂｉｔ  Ｅｒｒｏｒ  Ｒａｔｅ：ビットエラーレート）測定用データを含むデータのことである。
【０００４】
更に、１号系送信装置、２号系送信装置は、非伝送データ挿入同期信号を互いに供給し合うと共に、どちらの送信装置が使用されているかを示す信号が同期切替信号生成部（同期切替信号生成部は切替器に同期切替信号を供給する）より供給される。そして、現在使用されている方の送信装置をマスター側、他方の送信装置をスレーブ側として、マスター側非伝送データ挿入同期信号にスレーブ側非伝送データ挿入タイミングを追従させるように制御することで、１号系信号と２号系信号の同期化を実現している。
【特許文献１】特開２００３−１１０４６７号公報
【発明の開示】
【発明が解決しようとする課題】
【０００５】
前述の従来の二重系無線送信装置では、双方の伝送系の非伝送データ挿入タイミングは合っているものの、伝送データのタイミングがずれている場合、伝送系切替時に伝送データが欠落することがあるという欠点がある。
【０００６】
そこで本発明では、非伝送データだけでなく伝送データも同期をとることにより、伝送データを欠落させることなく伝送系を切り替えることができる二重系無線送信方法及び二重系無線送信装置を提供することを目的とする。
【課題を解決するための手段】
【０００７】
前述の目的を達成するために、第１、第２の送信部に、伝送データのヘッダを検知するヘッダ検知部と、ヘッダ検知部に接続されヘッダをカウントするヘッダカウント部と、ヘッダカウント部に制御されヘッダのカウント値が所定値に達したとき同期信号を互いに供給する同期化部をそれぞれ備えるようにしたものである。
その結果、第１、第２の送信部のそれぞれが伝送データのヘッダを検知し、所定数のヘッダを検知したとき、内部で生成する同期信号を互いに供給し、どちらの送信部が使用されているかに基づいて、現在送信されている送信部の同期信号に他の送信部のタイミングが同期するようにしたものである。
【発明の効果】
【０００８】
以上のように、本発明によれば、現在送信されている送信部の同期信号に他の送信部のタイミングが同期するため、非伝送データだけでなく伝送データも同期をとることができる。従って、伝送データを欠落させることなく伝送系の切替を行うことができる二重系無線送信方法及び二重系無線送信装置を提供することができる。
【発明を実施するための最良の形態】
【０００９】
以下、本発明の一実施例である二重系無線送信装置について、図１〜３を用いて説明する。図１は、本発明の一実施例である二重系無線送信装置の構成を示すブロック図である。図２は、本発明の一実施例である二重系無線送信装置の送信部の構成を示すブロック図である。図３は、本発明の一実施例である二重系無線送信装置に入力されるデータの構成を示す図である。
【００１０】
以下、本実施例の二重系無線送信装置の動作については図１を用いて、本実施例の二重系無線送信装置の送信部の動作については図２、３を用いて説明する。
（１）本実施例の二重系無線送信装置の動作
本実施例の二重系無線送信装置では、図１のように、データ３０が第１の送信部１、第２の送信部２に入力される。第１の送信部１、第２の送信部２で、データ３０が変調された後、それぞれ、変調部出力情報３５、３６として出力情報切替処理部３の変調器出力切替部３Ｂに入力される。変調器出力切替部３Ｂは、変調器切替部３Ａの制御により、通常、マスター側送信部の出力信号である変調部出力信号を選択し、この変調部出力信号を送信機出力情報４０として出力する。例えば、第１の送信部１がマスター側送信部、第２の送信部２がスレーブ側送信部である場合、第１の送信部１の出力信号である変調部出力信号３５を選択し、この変調部出力信号３５を送信機出力情報４０として出力する。逆に、第２の送信部２がマスター側送信部、第１の送信部１がスレーブ側送信部である場合、第２の送信部２の出力信号である変調部出力信号３６を選択し、この変調部出力信号を送信機出力情報４０として出力する。
【００１１】
以下、第１の送信部１がマスター側送信部、第２の送信部がスレーブ側送信部である場合について説明する。
変調器切替部３Ａには、第１の送信部１の異常警告信号である送信部アラーム３７、第２の送信部２の異常警告信号である送信部アラーム３８が入力される。送信部アラーム３７、３８により変調器切替部３Ａは把握した両送信部の状態に応じて、第１の送信部１、第２の送信部２にマスター／スレーブ信号３３、３４を出力する。つまり、マスター／スレーブ信号は、例えばそのレベルがＨ（Ｈｉｇｈ）の方をマスター側送信部、Ｌ（Ｌｏｗ）の方をスレーブ側送信部とするためのものである。ここで、例えば、第１の送信部１が異常となり送信部アラーム３７が出力された場合、マスター／スレーブ信号３３の出力がＬ（Ｌｏｗ）となり、マスター／スレーブ信号３４の出力がＨ（Ｈｉｇｈ）となるため、第２の送信部２がマスター側送信部となり、第１の送信部１がスレーブ側送信部となる。更に、送信部切替パルス３９により変調器出力切替部３Ｂが変調器切替部３Ａに制御されることで、マスター側送信部となった第２の送信部２の出力信号である変調部出力信号３６が変調器出力切替部３Ｂで選択される。そして、選択された変調部出力信号３６は送信機出力情報４０として出力される。
また、第１の送信部１には、第２の送信部２から同期用入力パルス３１が入力されると共に、第２の送信部２に対して同期用出力パルス３２が出力される。ここで、第１の送信部１がマスター側送信部である場合、同期用出力パルス３２に従って変調部出力情報３５の出力タイミングを決めるので、スレーブ側送信部となる第２の送信部２からの同期用入力パルス３１を第１の送信部１は無視する。これに対して、第２の送信部２では、第１の送信部１からの同期用出力パルス３２に従って変調部出力情報３６の出力タイミングを決めるので、第２の送信部２の変調部出力情報３６の出力タイミングを第１の送信部１の変調部出力情報の出力タイミング３５に合わせることができる。即ち、同期をとることができる。その結果、送信部のマスターとスレーブの切換の際、送信機出力情報４０に損失の無い、無瞬断での切替が可能となる。
次に、同期をとるための第１の送信部１、第２の送信部２の動作については、詳細に説明する。
（２）本実施例の二重系無線伝送装置の送信部の動作
第１の送信部１、第２の送信部２に入力されるデータ３０は、図３のように、複数のＴＳ（ｔｒａｎｓｐｏｒｔ  ｓｔｒｅａｍ  以下、ＴＳと称する）パケットで構成されており、各ＴＳパケットは、例えば、固有コードを有するヘッダ部と、映像情報Ｖ及び／又は音声情報Ａとで構成されている。ヘッダ部の固有コードは、例えば１６進数の４７である。
【００１２】
第１の送信部１、第２の送信部２は、図２のように、それぞれ入力情報監視部１０のヘッダ検知部１０Ａ、入力情報監視部２０のヘッダ検知部２０Ａでデータ３０を監視することにより、データ３０のヘッダ部の固有コードを検知する。固有コードが検知されると、ヘッダパルス４１、４２がヘッダカウント部１０Ｂ、２０Ｂに出力される。このヘッダパルス４１、４２のパルス数をヘッダカウント部１０Ｂ、２０Ｂでカウントし、そのカウント値が一定値（本実施例の場合、８）に達すると、カウンタリセット信号４９、５０を出力する。即ち、ＴＳパケットのヘッダ部が４７であるのをヘッダ検知部１０Ａ、２０Ａが８回検知したとき、ヘッダパルス４１、４２のパルス数が８となるため、ヘッダカウント部１０Ｂ、２０Ｂはカウンタリセット出力信号４９、５０を出力する。
【００１３】
第１の送信部１のヘッダカウント部１０Ｂからカウンタリセット出力信号４９が出力されると、同期用パルス出力部１１Ｂから第２の送信部２の同期用パルス入力部２１Ａに同期用出力パルス３２が入力される。同期用出力パルス３２の入力により、第２の送信部の同期用パルス入力部２１Ａはカウンタリセット入力信号４８をヘッダカウント部２０Ｂに出力する。この出力により、例えば、第１の送信部がマスター側送信部である場合、第２の送信部がスレーブ側送信部となるため、第２の送信部２のヘッダカウント部２０Ｂはリセットされる。即ち、第１の送信部１のヘッダカウント部１０Ｂがリセットされる（ヘッダカウント部１０Ｂからカウンタリセット信号４９が出力される）と、第２の送信部２のヘッダカウント部２０Ｂもリセットされる。その結果、ヘッダカウント部１０Ｂとヘッダカウント部２０Ｂが同時にカウンタをリセットすることができる。
【００１４】
一方、第２の送信部２のヘッダカウント部２０Ｂからカウンタリセット出力信号５０が出力されると、同期用パルス出力部２１Ｂから第１の送信部１の同期用パルス入力部１１Ａに同期用入力パルス３１が入力される。同期用入力パルス３１の入力により、同期用パルス入力部１１Ａはカウンタリセット入力信号４７をヘッダカウント部１０Ｂに出力する。しかし、第１の送信部がマスター側送信部である場合、ヘッダカウンタ部１０Ｂはカウンタリセット入力信号４７を無視し、ヘッダ検知部１０Ａからのヘッダパルス４１のパルス数が一定値（本実施例の場合、８）になった場合のみカウンタがリセットするように動作する。
【００１５】
以上のように、第１の送信部１のヘッダカウント部１０Ｂと第２の送信部２のヘッダカウント部２０Ｂが同時にカウンタをリセットすることができる。リセットが同時にできることにより、ヘッダカウント部１０Ｂ、２０Ｂのリセット時に出力されるフレーム構成パルス４５、４６の出力タイミングも同時となる。フレーム構成パルス４５、４６の出力時に変調器内入力情報４３、４４の先頭パケットのヘッダ部の固有コードを１６進数の４７からＢ８に変換すると共に非伝送データを周期的に挿入した後、変調部１３、２３で変調される。フレーム構成パルス４５、４６の出力タイミングに基づいて変調部１３、２３は変調器内入力情報４３、４４を変調することにより、変調器出力情報３５、３６の出力タイミングも同時となる。
【００１６】
従って、本実施例の二重系無線伝送装置では、第１の送信部１からの変調部出力情報３５、第２の送信部からの変調部出力情報３６を同時に出力させることができる。即ち、第１の送信部１と第２の送信部２とが同期をとることができる。
【００１７】
更に、本実施例の二重系無線伝送装置では、第１の送信部１のアラーム監視部１２、第２の送信部２のアラーム監視部２２から送信部アラーム３７、３８が変調器切替部３Ａに出力されると共に、変調器切替部３Ａからマスター／スレーブ信号３３、３４がそれぞれ第１の送信部１、第２の送信部２に出力される。
【００１８】
アラーム監視部１２、２２は各々電源電圧監視部１２Ａ、２２Ａ、送信部温度監視部１２Ｂ、２２Ｂを有していることにより、第１の送信部１、第２の送信部２に印加する電源電圧が規定した値を超えた場合、または第１の送信部１、第２の送信部２の温度が規定した範囲を超えた場合、送信部アラーム３７、３８を出力する。
【００１９】
例えば、送信部アラーム３７が出力された場合、変調器切替部３Ａは第１の送信部１が異常であると判定し、マスター／スレーブ信号３３、３４のレベルを切り替える。即ち、送信部アラーム３７の出力前では、マスター／スレーブ信号３３のレベルはＨ（Ｈｉｇｈ）、マスター／スレーブ信号３４のレベルはＬ（Ｌｏｗ）であるのに対し、送信部アラーム３７の出力後では、マスター／スレーブ信号３３のレベルはＬ（Ｌｏｗ）となり、マスター／スレーブ信号３４のレベルはＨ（Ｈｉｇｈ）となる。このレベルの切替と共に送信部切替パルス３９が変調機切替部３Ａから変調器出力切替部３Ｂに出力されることにより、送信部のマスターとスレーブとが切り替えられる。その結果、スレーブ側送信部となった第１の送信部１からの変調部出力情報３５ではなく、マスター側送信部となった第２の送信部２からの変調部出力情報３６を変調器出力切替部３Ｂは選択し、送信機出力情報４０として出力する。なお、送信部のマスターとスレーブとが切り替えられても、変調部出力情報３５、３６とは互いに同期がとれていることにより、無瞬断の切替が可能である。
【図面の簡単な説明】
【００２０】
【図１】本発明の一実施例である二重系無線伝送装置の構成を示すブロック図。
【図２】本発明の一実施例である二重系無線伝送装置の送信部の構成を示すブロック図。
【図３】本発明の一実施例である二重系無線伝送装置に入力されるデータの構成を示す図。
【符号の説明】
【００２１】
１：第１の送信部    ２：第２の送信部
３：出力情報切替処理部      ３Ａ：変調器切替部
３Ｂ：変調器出力切替部
１０：第１の送信部側入力情報監視部
１０Ａ：第１の送信部側ヘッダ検知部 
１０Ｂ：第１の送信部側ヘッダカウント部
１１：第１の送信部側同期化部
１１Ａ：第１の送信部側同期用パルス入力部
１１Ｂ：第１の送信部側同期用パルス出力部
１２：第１の送信部側アラーム監視部
１２Ａ：第１の送信部側電源電圧監視部
１２Ｂ：第１の送信部側送信部温度監視部
１３：第１の送信部側変調部
２０：第２の送信部側入力情報監視部
２０Ａ：第２の送信部側ヘッダ検知部 
２０Ｂ：第２の送信部側ヘッダカウント部
２１：第２の送信部同期化処理部
２１Ａ：第２の送信部側同期用パルス入力部
２１Ｂ：第２の送信部側同期用パルス出力部
２２：第２の送信部側アラーム監視部
２２Ａ：第２の送信部側電源電圧監視部
２２Ｂ：第２の送信部側送信部温度監視部
２３：第２の送信部側変調部
３０：データ ３１：同期用入力パルス
３２：同期用出力パルス      ３３：マスター／スレーブ信号
３４：マスター／スレーブ信号３５：変調部出力情報
３６：変調部出力情報３７：送信部アラーム
３８：送信部アラーム３９：送信部切替パルス
４０：送信部出力情報４１：ヘッダパルス
４２：ヘッダパルス  ４３：変調器内入力情報
４４：変調器内入力情報      ４５：フレーム構成パルス
４６：フレーム構成パルス    ４７：カウンタリセット入力信号
４８：カウンタリセット入力信号     ４９：カウンタリセット出力信号
５０：カウンタリセット出力信号
【図１】
2005159478.tif 000003
【図２】
2005159478.tif 000004
【図３】
2005159478.tif 000005